(57)【要約】    【課題】長板状のルーバーを短辺方向に湾曲させて風向を変更しつつ、ルーバーの長辺方向の撓みを防止することのできる風向調節装置の提供。    【解決手段】吹出口４に長板状のルーバー１０を配設する。ルーバー１０を揺動させるクランク機構１１を設ける。ルーバー１０の短辺方向の一端部１０ａ及び他端部１０ｂを剛部とする。ルーバー１０の短辺方向の中央部１０ｃを可撓部とする。一端部１０ａを吹出口４に固定する。クランク機構１１で他端部１０ｂを板厚方向に移動制御する。ルーバー１０が短辺方向に滑らかに湾曲する。【選択図】図２
2010019451.tif 000002
【特許請求の範囲】
【請求項１】
長辺方向を水平に向けて吹出口に配設された長板状のルーバーと、該ルーバーを揺動させる駆動部とを備え、
前記ルーバーは、短辺方向の一端部が吹出口に支持され、前記駆動部で他端部が板厚方向に移動制御されることによって短辺方向に湾曲して揺動するよう、短辺方向の両端部が剛部とされて中央部が可撓部とされたことを特徴とする風向変更装置。
【請求項２】
前記ルーバーは、吹出口に支持される短辺方向の一端部が空気流路方向の上流側に位置し、駆動部で板厚方向に移動制御される短辺方向の他端部が空気流路方向の下流側に位置することを特徴とする請求項１に記載の風向変更装置。
【請求項３】
前記ルーバーは、空気流路方向の上流側に位置する短辺方向の一端部が吹出口に固定支持されたことを特徴とする請求項２に記載の風向変更装置。
【請求項４】
前記ルーバーのうちの短辺方向の他端部に被案内部が設けられ、前記吹出口に、前記被案内部をルーバーの板厚方向に案内する曲線状の軌道が設けられ、
前記軌道の中心線の曲線半径が被案内部からルーバーの一端部までの長さよりも小さく設定されると共に、前記軌道の中心線からルーバーの一端部までの最大距離が被案内部からルーバーの一端部までの長さと等しい長さに設定されたことを特徴とする請求項３に記載の風向変更装置。
【請求項５】
前記ルーバーは、空気流路方向の上流側に位置する短辺方向の一端部が吹出口に回動自在に支持され、前記吹出口に、前記一端部の回動に抗するばねが設けられたことを特徴とする請求項２に記載の風向変更装置。
【請求項６】
前記ルーバーのうちの短辺方向の他端部に被案内部が設けられ、前記吹出口に、前記被案内部をルーバーの板厚方向に案内する曲線状の軌道が設けられ、
前記軌道の中心線の曲線半径が被案内部からルーバーの回動中心までの長さよりも小さく設定されると共に、前記軌道の中心線からルーバーの回動中心までの最大距離が被案内部からルーバーの回動中心までの長さと等しい長さに設定されたことを特徴とする請求項５に記載の風向変更装置。
【請求項７】
前記ルーバーは、空気流路方向の上流側に位置する短辺方向の一端部が吹出口に回動自在に支持され、前記吹出口に、前記一端部の回動範囲を制限するストッパーが設けられたことを特徴とする請求項２に記載の風向変更装置。
【請求項８】
前記ルーバーは、吹出口に支持される短辺方向の一端部が空気流路方向の下流側に位置し、駆動部で板厚方向に移動制御される短辺方向の他端部が空気流路方向の上流側に位置することを特徴とする請求項１に記載の風向変更装置。
【請求項９】
前記ルーバーは、空気流路方向の下流側に位置する短辺方向の一端部が吹出口に回動自在に支持されると共に、短辺方向の他端部に被案内部が設けられ、前記吹出口に、前記被案内部を案内してルーバーの前記他端部の傾斜を制限しつつ板厚方向に案内する軌道が設けられたことを特徴とする請求項８に記載の風向変更装置。
【請求項１０】
前記駆動部は、連接棒を介してルーバーの一端部又は他端部に連接されたクランク機構とされたことを特徴とする請求項１〜９のいずれかに記載の風向変更装置。
【請求項１１】
請求項１〜１０のいずれかに記載の風向変更装置を備えたことを特徴とする空気調節装置。
【発明の詳細な説明】
【技術分野】
【０００１】
本発明は、吹出口に揺動自在に配設される長板状のルーバーを有する風向変更装置及びこれを備えた空気調和機などの空気調節装置に関するものである。
【背景技術】
【０００２】
一般に、空気調和機の室内機などの空気調節装置の吹出口には、その風向を変更するための風向変更装置が装備されている。図１１に風向変更装置を備えた空気調和機の一例を示す。
【０００３】
風向変更装置１０１は、吹出口１０２に水平に配設される長板状のルーバー１０３を備え、そのルーバー１０３で、送風機１０４から送られる風の向きを変更するようになっている。ルーバー１０３は、その傾斜角度を調節して吹出口１０２からの風向を上向きや下向きに切り替えるよう揺動自在とされ、例えば、冷房時には、図１１（ａ）に示すように、吹出口１０２から上向きに風を吹き出し、暖房時には、図１１（ｂ）に示すように、吹出口１０２から下向きに風を吹き出す。
【０００４】
このような風向変更装置１０１は、送風機１０４から送られた風の向きを変更する変更角度を大きくするほど、流れ方向にルーバー１０３を長くする必要があり、しかも、ルーバー１０３の表面での流れの剥離現象を生じやすいことから、騒音が発生したり、風量が極端に低下して吹出口１０２から遠くまで風が届きにくくなったりするおそれがある。
【０００５】
この騒音の発生及び風量の低下を防止するものとして、図１２に示すように、長板状のルーバー１０５をその中央部にヒンジ１０６を設けて屈曲させるようにした風向変更装置が開示されている（例えば特許文献１）。
【０００６】
特許文献１の風向変更装置は、ルーバー１０５を中央部で屈曲させて、その上流側部分で整流しつつ下流側部分で風向を変更するので、風向の変更角度が大きい場合であっても、ルーバー１０５を流れ方向に長くすることなく、騒音及び風量低下をある程度は抑えることができる。ただ、中央部にヒンジを設けて屈曲させた構造は、その屈曲部分で流れの剥離を生じやすく、騒音低減及び送風効率の向上が不十分になるおそれがある。
【０００７】
これに対し、長板状のルーバーを可撓性のものとして、流れに沿うよう短辺方向に湾曲させることにより、風向を大きく変更する際にも、風の流れをルーバー表面から剥離させることなく、よりスムーズに風向を変更して、騒音の発生及び風量の低下を防止することが期待できる。
【特許文献１】特開昭６０−３８５４６号公報
【発明の開示】
【発明が解決しようとする課題】
【０００８】
ところが、長板状で可撓性のルーバーは、短辺方向よりも長辺方向に湾曲しやすいことから、短辺方向に湾曲するだけでなく、長辺方向に湾曲するよう撓んで風の吹き出しを阻害したり、吹き出される風で振動して破損するおそれがある。
【０００９】
本発明は、長板状のルーバーを短辺方向に湾曲させて風向を変更しつつ、ルーバーの長辺方向の撓みを防止することのできる風向調節装置及びこれを備えた空気調節装置の提供を目的とする。
【課題を解決するための手段】
【００１０】
上記目的を達成するため、本発明に係る風向変更装置は、長辺方向を水平に向けて吹出口に配設する長板状のルーバーと、このルーバーを揺動させる駆動部とを備えたものであり、そのルーバーの短辺方向の一端部を吹出口に支持して、駆動部で他端部を板厚方向に移動制御することにより、ルーバーを短辺方向に湾曲させて揺動させるよう、ルーバーの短辺方向の両端部を剛部として中央部を可撓部としたものである。
【００１１】
上記構成によれば、ルーバーの短辺方向の両端部を剛部として中央部を可撓部とするので、ルーバーの一端部を支持して他端部を板厚方向に移動制御することにより、可撓部を湾曲させてルーバーを全体として短辺方向に滑らかに湾曲させつつ、剛部の剛性によってルーバーの長辺方向の湾曲を阻止することができる。これにより、ルーバーからの流れの剥離を生じることなく、スムーズに風向を変更すると共に、ルーバーの撓みや振動による吹き出しの阻害や破損を防止することができる。
【００１２】
ルーバーのうち、吹出口に支持する短辺方向の一端部を空気流路方向の上流側に位置させ、駆動部で板厚方向に移動制御する短辺方向の他端部を空気流路方向の下流側に位置させれば、ルーバーのうちの上流側部分の傾斜角度を風向変更装置に送られる風の向きと同程度に容易に合わせることができる。これにより、風向変更装置に送られる風を整流しつつスムーズに所望の吹き出し方向に向けることができる。
【００１３】
ルーバーを吹出口に支持するには、空気流路方向の上流側に位置する短辺方向の一端部を吹出口に固定支持すればよい。そうすれば、ルーバーのうちの上流側部分の傾斜角度を風向変更装置に送られる風の向きに常に合わせることができる。
【００１４】
一端部を固定支持したルーバーを湾曲させるには、他端部を自由端として単に板厚方向に移動制御するだけでもよいが、他端部を短辺方向に移動させることによっても、いわゆる弾性座屈によって可撓部を湾曲させることができ、両者を組み合わせることにより、より適切な湾曲形状を選択することができる。
【００１５】
具体的には、ルーバーのうちの短辺方向の他端部に被案内部を設け、吹出口に、被案内部をルーバーの板厚方向に案内する曲線状の軌道を設ける。さらに、軌道の中心線の曲線半径を被案内部からルーバーの一端部までの長さよりも小さく設定すると共に、軌道の中心線からルーバーの一端部までの最大距離を被案内部からルーバーの一端部までの長さと等しい長さに設定する。
【００１６】
この構成によれば、軌道中心の曲線半径を被案内部から固定支持したルーバーの一端部までの長さよりも小さくするので、軌道上の被案内部がルーバーの一端部までの最大距離の位置にあるとき、ルーバーが平面状になり、この位置からずれたとき、他端部が板厚方向に移動すると共に短辺方向にも移動してルーバーが湾曲する。ここで、軌道の中心線からルーバーの一端部までの最大距離とは、軌道の中心線から一端部と中央部との境界までの距離のうちの最大距離のことをいう。また、被案内部からルーバーの一端部までの長さとは、被案内部から一端部と中央部との境界までの長さのことをいう。
【００１７】
また、ルーバーを吹出口に支持するには、空気流路方向の上流側に位置する短辺方向の一端部を吹出口に回動自在に支持し、吹出口に、一端部の回動に抗するばねを設けるようにしてもよい。そうすれば、ばねで一端部の回動を抑えることにより、ルーバーのうちの上流側部分の傾斜角度を風向変更装置に送られる風の向きと同程度に合わせつつ、一端部を適度に回動させて、よりスムーズに風向を変更することができる。
【００１８】
一端部を回動自在に支持しつつその回動をばねで抑える場合も、一端部を固定支持したルーバーを湾曲させる場合と同様、他端部を自由端として単に板厚方向に移動制御するだけでもよく、他端部の短辺方向への移動を組み合わせてもよい。
【００１９】
具体的には、ルーバーのうちの短辺方向の他端部に被案内部を設け、吹出口に、被案内部をルーバーの板厚方向に案内する曲線状の軌道を設ける。さらに、軌道の中心線の曲線半径を被案内部からルーバーの回動中心までの長さよりも小さく設定すると共に、軌道の中心線からルーバーの回動中心までの最大距離を被案内部からルーバーの回動中心までの長さと等しい長さに設定する。
【００２０】
この構成によれば、軌道中心の曲線半径を被案内部からルーバーの回動中心までの長さよりも小さくするので、軌道上の被案内部がルーバーの回動中心までの最大距離の位置にあるとき、ルーバーが平面状になり、この位置からずれたとき、他端部が板厚方向に移動すると共に短辺方向にも移動してルーバーが湾曲する。この場合、ばねの付勢力を小さくするほど、座屈による湾曲が支配的になるという関係があるので、ばねの付勢力を調節することにより、所望の湾曲形状に設定することができる。
【００２１】
なお、ばねを設けずに単に一端部を回動自在に支持しただけでは、ルーバーの座屈による湾曲方向を制御することができず、例えばルーバーを上向きに傾斜させたのに湾曲方向が上に凸になったり、下向きに傾斜させたのに湾曲方向が下に凸になったりするおそれがあるが、ばねで、回動を抑える方向にわずかな付勢力を負荷するだけで、ルーバーの湾曲方向を制御することができる。
【００２２】
また、ルーバーを吹出口に支持するには、空気流路方向の上流側に位置する短辺方向の一端部を吹出口に回動自在に支持し、吹出口に、一端部の回動範囲を制限するストッパーを設けるようにしてもよい。そうすれば、ストッパーで一端部の回動範囲を制限することにより、ルーバーのうちの上流側部分の傾斜角度を風向変更装置に送られる風の向きと同程度に合わせつつ、一端部を適度に回動させて、よりスムーズに風向を変更することができる。
【００２３】
また、ルーバーを吹出口に支持するには、空気流路方向の上流側に位置する短辺方向の一端部を吹出口に回動不能としつつ、あるいは、ばね又はストッパーで回動を制限しつつ、吹出口に対してスライド自在に支持することもできる。これにより、吹出口に、ルーバーの他端部を案内する軌道を設ける場合、その軌道の形状を直線などの簡単な形状に設定することができる。
【００２４】
また、ルーバーのうち、吹出口に支持する短辺方向の一端部を空気流路方向の下流側に位置させ、駆動部で板厚方向に移動制御する短辺方向の他端部を空気流路方向の上流側に位置させることもできる。そうすれば、ルーバーの他端部を移動制御する駆動部などを吹出口のより奥まった部位に配置することができる。
【００２５】
この場合、ルーバーを吹出口に支持するには、空気流路方向の下流側に位置する短辺方向の一端部を吹出口に回動自在に支持すると共に、短辺方向の他端部に被案内部を設け、吹出口に、被案内部を案内してルーバーの他端部の傾斜を制限しつつ板厚方向に案内する軌道を設ければよい。
【００２６】
そうすれば、ルーバーの上流側部分を移動制御しつつ、風向変更装置に向かう風の流れ方向と同程度の傾斜角度に合わせることができるので、風の流れを整流しつつ風向をスムーズに変更することができる。なお、ルーバーの一端部を回動自在に支持する部位は、一端部を回動自在かつ吹出口に対してスライド自在に支持するものであってもよく、これにより、軌道の形状を直線などの簡単な形状に設定することができる。
【００２７】
駆動部としては、周知の構成を採用することができ、連接棒を介してルーバーの一端部又は他端部に連接されたクランク機構を例示できる。また、駆動部をルーバーに連接することなく、ルーバーを押圧して変位させると共に、ルーバー自体又はばねの弾性によって復元させることもできる。
【００２８】
また、長板状のルーバーは、その長辺方向を例えば水平方向に向けて配置したものであってもよく、鉛直方向に向けて配置したものであってもよい。さらに、本発明は、例えば、空気調和機や空気清浄機、除湿器、加湿器、電気ヒーター、石油ストーブ、ガスヒーター、冷蔵庫などの空気調節装置であって、上記の風向変更装置を備えた空気調節装置を提供する。
【発明の効果】
【００２９】
以上の説明から明らかな通り、本発明によると、長板状のルーバーの短辺方向の中央部を可撓部とするので、ルーバーをその短辺方向に滑らかに湾曲させることができる。これにより、風向を大きく変更する際にも、ルーバー表面からの風の剥離を生じることなく、スムーズに風向を変更することができ、騒音の発生及び風量の低下を防止することができる。
【００３０】
しかも、長板状のルーバーの短辺方向の両端部を剛部とするので、ルーバーを短辺方向にのみ湾曲させつつ、ルーバーの長辺方向の湾曲を阻止することができる。これにより、ルーバーの長辺方向の湾曲による撓みや振動による吹き出しの阻害や破損を防止することができる。
【発明を実施するための最良の形態】
【００３１】
以下、本発明に係る風向変更装置及びこれを備えた空気調節装置を実施するための第１実施形態〜第５実施形態について、図面を用いて説明する。
【００３２】
［第１実施形態］
図１は本発明に係る風向変更装置を備えた空気調和機の室内機の断面図で、停止時の状態を示す。図２は空気調和機の室内機の断面図で、冷房運転時の状態を示す。図３は空気調和機の室内機の断面図で、暖房運転時の状態を示す。図４はクランク機構の動作を示す模式図、図５はルーバーの側面図、図６はルーバーの別の形態の側面図である。
【００３３】
室内機１は、空気調和機のうちの空気調節装置としての室内機であり、キャビネット２の吸込口３から吹出口４に至る空気流路５に熱交換器６及び送風機７が配設され、吹出口４から室内に冷風又は温風を吹き出すようになっている。
【００３４】
吹出口４は、図２に示すように、冷房運転時に上端側を開放して上向きに風を吹き出して、図３に示すように、暖房運転時に下端側を開放して下向きに風を吹き出すための導風パネル８で開閉自在に覆われ、この吹出口４に、導風パネル８と協働して風の吹出方向を切り換えるための風向変更装置９が設けられている。
【００３５】
風向変更装置９は、長板状のルーバー１０と、ルーバー１０を揺動させる駆動部としてのクランク機構１１とを備え、そのルーバー１０が長辺方向を水平に向けて吹出口４に配設され、クランク機構１１がキャビネット２の内側面のうちの吹出口４の近傍に設けられている。
【００３６】
ルーバー１０は、短辺方向の一端部１０ａ及び他端部１０ｂが、板厚が厚く剛性の大きい剛部とされて、中央部１０ｃが、板厚が薄く剛性の小さい可撓部とされ、その一端部１０ａが空気流路５における上流側に位置して他端部１０ｂが下流側に位置するよう配置される。
【００３７】
ルーバー１０の一端部１０ａは、短辺方向の向きを空気流路５における風の流れ方向と合わせた傾斜角度に設定され、その長辺方向の両端部が、例えば二本の係止突起１０ｄを嵌めこむことによって、吹出口４の内側面に固定支持されている。また、ルーバー１０の他端部１０ｂは、その長辺方向の一端かつ吹出方向の先端が連接棒１２を介してクランク機構１１に連接されている。
【００３８】
クランク機構１１は、図４に示すように、そのクランクアーム１３を回動させることにより、連接棒１２を介して、ルーバー１０の他端部１０ｂをその板厚方向である上下方向に移動制御して、ルーバー１０の中央部１０ｃを短辺方向に湾曲させながら、ルーバー１０の他端部１０ｂを上下に揺動するようになっている。
【００３９】
具体的に説明すると、冷房運転時には、ルーバー１０の他端部１０ｂを上向きに移動制御することにより、ルーバー１０の中央部１０ｃを下に凸となるよう湾曲させつつ、ルーバー１０の他端部１０ｂを上向きに傾斜させる。これにより、送風機７から空気流路５を通って送られた風の向きを滑らかに変更して、冷風を吹出口４から上向きに吹き出す。
【００４０】
一方、暖房運転時には、ルーバー１０の他端部１０ｂを下向きに移動制御することにより、ルーバー１０の中央部１０ｃを上に凸となるよう湾曲させつつ、ルーバー１０の他端部１０ｂを下向きに傾斜させる。これにより、送風機７から空気流路５を通って送られた風の向きを滑らかに変更して、温風を吹出口４から下向きに吹き出す。
【００４１】
なお、ルーバー１０は、図５に示すように、一端部１０ａ及び他端部１０ｂと中央部１０ｃとの境界に板厚の段差を設けてもよく、図６に示すように、一端部１０ａ及び他端部１０ｂと中央部１０ｃとの境界で板厚を連続させつつ滑らかに変化させてもよい。このルーバー１０の縦断面形状を調整することにより、ルーバー１０の湾曲形状を所望の形状に設定することができる。
【００４２】
［第２実施形態］
図７は第２実施形態のルーバー及びその近傍を示す側面図である。第２実施形態は、第１実施形態とほぼ同じ構成であるが、ルーバー１０のうち、空気流路５における上流側に位置する一端部１０ａの吹出方向の基端に回動軸１４が設けられ、この回動軸１４が吹出口４の両内側面に回動自在に支持されると共に、吹出口４の両内側面に、一端部１０ａの回動範囲を制限する突起状のストッパー１５が設けられている。
【００４３】
これにより、一端部１０ａを適度に回動させて中央部１０ｃの湾曲を緩くすることができ、風の向きをより滑らかに変更することができる。なお、他の構成は、第１実施形態と同じである。
【００４４】
［第３実施形態］
図８は第３実施形態のルーバー及びその近傍を示す側面図である。第３実施形態は、第１実施形態とほぼ同じ構成であるが、ルーバー１０のうち、空気流路５における上流側に位置する一端部１０ａの吹出方向の基端に回動軸１４が設けられ、この回動軸１４が吹出口４の両内側面に回動自在に支持されると共に、吹出口４の両内側面と一端部１０ａとの間に、一端部１０ａの回動に抗するばね１６が設けられている。
【００４５】
これにより、第２実施形態と同様、一端部１０ａを適度に回動させて中央部の湾曲を緩くすることができ、風の向きをより滑らかに変更することができる。なお、他の構成は、第１実施形態と同じである。
【００４６】
［第４実施形態］
図９は第４実施形態のルーバー及びその近傍を示す側面図である。第４実施形態は、第３実施形態とほぼ同じ構成であるが、ルーバー１０の他端部１０ｂの吹出方向の基端に、突起状の被案内部１７が設けられ、吹出口４の両内側面に、被案内部１７をルーバー１０の板厚方向である上下方向に案内する溝状かつ曲線状の軌道１８が形成されている。
【００４７】
軌道１８は、その中心線の曲線半径（Ｒ）がルーバー１０の被案内部１７から回動軸１４までの長さ（Ｌ）よりも小さく設定され、被案内部１７が中心線に沿って移動することにより、ルーバー１０を湾曲させながら、被案内部１７から回動軸１４までの直線距離（Ｄ）を変化させるようになっている。
【００４８】
また、軌道１８の中心線から回動軸１４までの直線距離（Ｄ）のうちの最大距離（Ｄｍａｘ）が、ルーバー１０の被案内部１７から回動軸１４までの長さ（Ｌ）と等しい長さに設定されている。これにより、軌道１８に沿って、被案内部１７を回動軸１４からの直線距離（Ｄ）が最大（Ｄｍａｘ）となる位置に移動させたとき、ルーバー１０が平面状になり、その位置からずれたとき、ルーバー１０が湾曲する。
【００４９】
ここで、ばね１６は、ルーバー１０が平面状になった状態において付勢力が作用しないよう取り付けられ、ルーバー１０を上向きに傾斜させたとき、その湾曲形状を下に凸とし、下向きに傾斜させたとき、その湾曲形状を上に凸とするよう、ルーバー１０を付勢する。
【００５０】
これにより、被案内部１７を軌道１８に沿って上下に移動させることによって、ばね１６の付勢力に抗して一端部１０ａを適度に回動させつつ、他端部１０ｂに上下方向の力を負荷すると共に、ルーバー１０を短辺方向に押し挟んで座屈させ、ルーバー１０を所望の形状に湾曲させることができる。つまり、上下方向への負荷による湾曲と座屈による湾曲とを組み合わせて、ルーバー１０を所望の形状に湾曲させることができ、風の向きをより滑らかに変更することができる。
【００５１】
なお、他の構成は、第３実施形態と同じである。さらに、ルーバー１０の一端部１０ａを吹出口４の内側面に固定支持する第１実施形態の構成に、被案内部１７を軌道１８に沿って上下に移動させる構成を加えることもでき、この第４実施形態のように、一端部１０ａを回動自在に支持する場合と同様の効果を得ることができる。
【００５２】
［第５実施形態］
図１０は第５実施形態のルーバー及びその近傍を示す側面図である。第５実施形態は、第４実施形態とほぼ同じ構成であるが、ルーバー１０の一端部１０ａが下流側に位置し、他端部１０ｂが上流側に位置している。さらに、一端部１０ａの吹出方向の基端側に回動軸１４が設けられ、他端部１０ｂに二つの被案内部１７ａ、１７ｂが設けられ、吹出口４の両内側面に、被案内部１７ａ、１７ｂをルーバー１０の板厚方向である上下方向に案内する溝状かつ曲線状の二条の軌道１８ａ、１８ｂが形成されている。
【００５３】
軌道１８ａ、１８ｂは、その上流側の軌道１８ａの曲線半径（Ｒ１）が下流側の軌道１８ｂの曲線半径（Ｒ２）よりもわずかに大きく設定され、ルーバー１０の他端部１０ｂをわずかに傾斜させつつ板厚方向に案内するようになっている。
【００５４】
なお、軌道１８ａ、１８ｂの曲線半径（Ｒ１、Ｒ２）を同じ大きさに設定して、他端部１０ｂを傾斜させることなく案内することもできる。また、二つの被案内部１７ａ、１７ｂ及び二条の軌道１８ａ、１８ｂを設ける代わりに、一条の軌道と、この軌道に対してスライド自在かつ回転不能に係合する被案内部を設けることもできる。他の構成は、第４実施形態と同じである。
【００５５】
なお、本発明は、上記の実施の形態に限定されるものではなく、本発明の範囲内において、適宜変更を加えることができる。例えば、ルーバーは一枚に限らず、複数枚のルーバーを設けることもできる。具体的には、吹出口に例えば左中右の３枚のルーバーを設けて、それぞれのルーバーを揺動させるよう、複数の風向変更装置を並設することもできる。さらに、複数枚のルーバーを互いに間隔をあけて平行に設けることもできる。
【図面の簡単な説明】
【００５６】
【図１】本発明に係る風向変更装置を備えた空気調和機の室内機の断面図（停止時）
【図２】空気調和機の室内機の断面図（冷房運転時）
【図３】空気調和機の室内機の断面図（暖房運転時）
【図４】クランク機構の動作を示す模式図
【図５】ルーバー及びその近傍を示す側面図
【図６】別の形態のルーバー及びその近傍を示す側面図
【図７】ルーバー及びその近傍を示す側面図（第２実施形態）
【図８】ルーバー及びその近傍を示す側面図（第３実施形態）
【図９】ルーバー及びその近傍を示す側面図（第４実施形態）
【図１０】ルーバー及びその近傍を示す側面図（第５実施形態）
【図１１】従来の風向変更装置を備えた空気調和機の断面図
【図１２】従来の風向変更装置の斜視図
【符号の説明】
【００５７】
４      吹出口
５      空気流路
９      風向変更装置
１０    ルーバー
１０ａ  一端部
１０ｂ  他端部
１０ｃ  中央部
１１    クランク機構
１４    回動軸
１５    ストッパー
１６    ばね
１７    被案内部
１８    軌道
【図１】
2010019451.tif 000003
【図２】
2010019451.tif 000004
【図３】
2010019451.tif 000005
【図４】
2010019451.tif 000006
【図５】
2010019451.tif 000007
【図６】
2010019451.tif 000008
【図７】
2010019451.tif 000009
【図８】
2010019451.tif 000010
【図９】
2010019451.tif 000011
【図１０】
2010019451.tif 000012
【図１１】
2010019451.tif 000013
【図１２】
2010019451.tif 000014